(57)【要約】【課題】バンニング・デバン作業をきわめて効率良く行うことができ、搬出入作業中における要冷凍荷物の溶解を防止することができると共に、常温コンテナの場合においても作業時間を大幅に短縮することが可能な比較的大型のコンテナ内で使用するインナーコンテナを提供する。【解決手段】多孔板よりなる矩形状の底面板２、当該底面板２の各コーナー部付近に挿着係止する支柱３、当該支柱３に形成した係合手段によって各支柱３，３間に着脱自在に係架させる多孔板よりなる側面板４とからなり、組立て後のインナーコンテナ１の長手方向長さＬ１とコンテナ９の開口部の長さＬ２が、Ｌ１＜Ｌ２の関係を有している。コンテナ開口部よりインナーコンテナ１が支障なく搬出入できるようになっており、且つインナーコンテナ１の下面にフォークリフトの爪を挿入するための開口１０を形成してある。【選択図】図１
0003106015.tif 000002
【実用新案登録請求の範囲】
【請求項１】
冷凍コンテナ又は冷凍装置を具備しない常温コンテナ内において用いるインナーコンテナであって、多孔板よりなる矩形状の底面板と、当該底面板の各コーナー部付近に凹設した凹陥部内に着脱自在に挿着係止する支柱と、当該支柱に形成した係合手段によって各支柱間に着脱自在に係架させる多孔板よりなる複数の側面板とからなり、組立て後のインナーコンテナの長手方向長さＬ１とコンテナの開口部の長さＬ２が、Ｌ１＜Ｌ２の関係を有していて、コンテナ開口部よりインナーコンテナが支障なく搬出入できるようになっており、且つインナーコンテナの下面にフォークリフトの爪を挿入するための開口を形成してなることを特徴とするインナーコンテナ。
【請求項２】
前記支柱に形成した係合手段は、上部に形成したスリーブと、下部に突成した樋状の受け金具とからなり、前記スリーブ内に側面板の両端縁の上部に垂設したロッドを嵌合させると共に、樋状の受け金具によって側面板の両端縁の下部に突成した係合杆を支承するようにしたことを特徴とする請求項１記載のインナーコンテナ。
【考案の詳細な説明】
【技術分野】
【０００１】
本考案は、荷物の輸送に用いる比較的大型のコンテナ内で使用するインナーコンテナに関する。
【背景技術】
【０００２】
一般に、物流業界においては、１輸送単位にて如何に多くの荷物を搬送できるかが重要視され、これまではコンテナ内の積載容積に見合う荷物を隙間なくバラ積みにして輸送することが行われている。
【０００３】
しかしながら、コンテナ内に密に荷物を積載した場合には、バンニング・デバン作業に１コンテナ当たり２〜３時間を要することもあり、要冷凍荷物用の冷凍装置を付設した冷凍コンテナの場合には、作業中にコンテナ内の温度上昇により荷物が溶解を始めるという重大な問題点が指摘されている。また、常温コンテナの場合においても搬出入作業に時間が掛かることから、夏場にはコンテナ内温度が異常に上昇し、作業環境が劣悪となって作業者に過度の負担を与えるという問題点がある。
【０００４】
これらの問題点のうち、要冷凍荷物の溶解を防止したり、あるいはコンテナ内に仕切りを設けて温度管理を可能なようにしたコンテナが考案されている。
すなわち、次に示す特許文献には、コンテナの内部に、前後区分仕切りを行うための仕切り体を前後摺動自在に設けて、当該仕切り体の所定箇所に仕切り後室へ冷気を送気するための吹出装置を設けた冷凍コンテナの構造が開示されている。
【特許文献１】実開昭６０−６３７６１号公報
【０００５】
この特許文献に示されたコンテナの構造によれば、仕切りの位置を変化させることによりバンニング・デバン作業中に要冷凍荷物が溶解するのを防ぐことができるとしても、バラ積みされた積載荷物の搬出入に多くの時間を必要とするのは云うまでもなく、逆に摺動自在な仕切り体がコンテナ内に配設されることによって却って作業性を悪化させるという問題点がある。また、要冷凍荷物をコンテナ内に隙間なく積載した場合には、冷気の通流が妨げられ、中央部分の冷気が当たらない荷物に影響を与えるという不具合が生ずる。
【考案の開示】
【考案が解決しようとする課題】
【０００６】
そこで、本考案は前記した従来の問題点を解消し、バンニング・デバン作業をきわめて効率良く行うことができ、搬出入作業中、あるいは輸送中における要冷凍荷物の溶解を防止することができると共に、常温コンテナの場合においても作業時間を短縮できることから夏場における負担を軽減できるようになした比較的大型のコンテナ内で使用するインナーコンテナを提供することを目的とするものである。
【課題を解決するための手段】
【０００７】
上記目的を達成するための本考案の構成を詳述すれば、請求項１に係る考案は、冷凍コンテナ又は冷凍装置を具備しない常温コンテナ内において用いるインナーコンテナであって、多孔板よりなる矩形状の底面板と、当該底面板の各コーナー部付近に凹設した凹陥部内に着脱自在に挿着係止する支柱と、当該支柱に形成した係合手段によって各支柱間に着脱自在に係架させる多孔板よりなる複数の側面板とからなり、組立て後のインナーコンテナの長手方向長さＬ１とコンテナの開口部の長さＬ２が、Ｌ１＜Ｌ２の関係を有していて、コンテナ開口部よりインナーコンテナが支障なく搬出入できるようになっており、且つインナーコンテナの下面にフォークリフトの爪を挿入するための開口を形成してなることを特徴とするインナーコンテナである。
【０００８】
また、請求項２に係る考案は、前記支柱に形成した係合手段は、上部に形成したスリーブと、下部に突成した樋状の受け金具とからなり、前記スリーブ内に側面板の両端縁の上部に垂設したロッドを嵌合させると共に、樋状の受け金具によって側面板の両端縁の下部に突成した係合杆を支承するようにしたことを特徴とする請求項１記載のインナーコンテナである。
【考案の効果】
【０００９】
本考案はこのように、インナーコンテナによって積載荷物を１つのユニット化させるようにしたものであり、インナーコンテナを構成する底面板及び側面板はいずれも多孔板よりなっているものであるから、コンテナ内においては当該ユニット同士の間に冷気が通流し得る程度の隙間が得られ、コンテナ内を均一に冷却するのに多大な効果がある。
【００１０】
また、組立て後のインナーコンテナの長手方向長さＬ１とコンテナの開口部の長さＬ２が、Ｌ１＜Ｌ２の関係を有しているから、フォークリフト、あるいはジョルダーによる作業性がきわめて良好となり、作業に要する時間を大幅に短縮することができ、夏場におけるバンニング・デバン作業にも充分対応することができる。なお、インナーコンテナを使用しないときには、底面板、側面板及び４本の支柱に簡単に分解することができるという利点を有する。
【考案を実施するための最良の形態】
【００１１】
以下、本考案に係るインナーコンテナの具体的構成を図示の実施形態に基づき詳細に説明する。
【００１２】
図１は本考案インナーコンテナの一実施形態を示す斜視図、図２は組立て後のインナーコンテナの長手方向長さとコンテナの開口部の長さの関係を説明するための概略図、図３は支柱の一実施形態を示す外観図、図４は図３のＡ−Ａ線に沿った拡大断面図、図５は図３のＢ−Ｂ線に沿った拡大断面図、図６は側面板の一実施形態を示す外観図である。
【００１３】
図中１は組立て後のインナーコンテナの全体を示すものであり、当該インナーコンテナ１は、多孔板よりなる矩形状の底面板２と、当該底面板２の各コーナー部付近に凹設した凹陥部内に着脱自在に挿着係止する４本の支柱３と、当該支柱３に形成した係合手段によって各支柱３，３間に着脱自在に係架させる多孔板よりなる複数枚の側面板４とから構成される。
【００１４】
支柱３に形成した係合手段は、各支柱３の上部の所定箇所に突設したスリーブ５と、このスリーブ５から所定の距離をおいて支柱３の下部所定箇所に突成した樋状の受け金具６とからなり、一方、多孔板よりなる側面板４の両端縁上部には前記スリーブ５内に嵌合し得るロッド７を垂設すると共に、側面板４の両端縁の下部には前記受け金具６によって支承される係合杆８を突成してある。
【００１５】
したがって、矩形状をなす底面板２の各コーナー部付近に設けてある凹陥部内に支柱３の下端部を嵌め付けてから、各支柱３，３間の上方より側面板４を徐々に落とし込み、側面板４の両端縁に設けてある係合杆８を支柱３の樋状の受け金具６によって支承させると共に、側面板４の両端縁上部に設けてあるロッド７を支柱３のスリーブ５内に嵌合させることによって、インナーコンテナ１を簡単に組み付けることができる。なお、図示の実施形態においては、各支柱３，３間に三段にわたって側面板４，４，４を取付けるようにしてあるが、これを二段、あるいは上下寸法を大きくすることによって一枚の側面板４を取付けるようにしてもよいのは勿論である。
【００１６】
インナーコンテナ１は組立て後の長手方向長さＬ１とコンテナ９の開口部の長さＬ２が、Ｌ１＜Ｌ２の関係を有していて、コンテナ９の開口部よりインナーコンテナ１が支障なく搬出入できるようになっており、且つインナーコンテナの下面にフォークリフトの昇降爪を挿入するための開口１０を形成してあるので、フォークリフトあるいはジョルダーによるバンニング・デバン作業を能率良く実施することができるようになる。
【００１７】
なお、全ての搬出入作業を終了し、インナーコンテナ１が不要となったときには、前記した組立て作業と逆の操作で簡単に分解することができる。すなわち、支柱に形成した係合手段は特別複雑な構造とはなっておらず、側面板４を上方に持ち上げれば、側面板４の両端縁下部の係合杆８が支柱３に設けてある樋状の受け金具６から離れると共に、ロッド７が支柱３に設けてあるスリーブ５から離れるので簡単に取り外すことができる。全部の側面板３を取り外した後、支柱３を底面板２の凹陥部から引き抜けば、全体の分解が終了し、邪魔にならないコンパクトな状態とすることができる。
【図面の簡単な説明】
【００１８】
【図１】本考案インナーコンテナの一実施形態を示す斜視図である。
【図２】組立て後のインナーコンテナの長手方向長さとコンテナの開口部の長さの関係を説明するための概略図である。
【図３】支柱の一実施形態を示す外観図である。
【図４】図３のＡ−Ａ線に沿った拡大断面図である。
【図５】図３のＢ−Ｂ線に沿った拡大断面図である。
【図６】側面板の一実施形態を示す外観図である。
【符号の説明】
【００１９】
１：インナーコンテナ
２：底面板
３：支柱
４：側面板
５：スリーブ
６：受け金具
７：ロッド
８：係合杆
９：コンテナ
１０：開口
【図１】
0003106015.tif 000003
【図２】
0003106015.tif 000004
【図３】
0003106015.tif 000005
【図４】
0003106015.tif 000006
【図５】
0003106015.tif 000007
【図６】
0003106015.tif 000008